(57)【要約】【課題】電話局舎等の器具、設備等の物の管理情報と人の管理情報の夫々の最適マッチングを行うことにより、大幅な手順の省略と管理データの簡略化と設備コスト、人的コストの削減が望まれていた。【解決手段】カメラ等による映像情報により、電話局舎等の管理対象物に対応したＩＣタグ、及び／又は２次元バーコード、及び／又は可視光通信機能付き灯具を配置し、技術者・管理者等の管理対象者に携帯端末（ＰＤＡ）を持たせ、入出力可能に構成し、物の管理情報と、人の管理情報とをインターネット回線・インターネットクラウド回線を通じて中央コンピュータに発受信され最適マッチング処理を行うことを特徴とする物の管理情報と人の管理情報の総合管理システムを提供する。【選択図】図１
2017076354.tif 000002
【特許請求の範囲】
【請求項１】
映像信号記録発信装置である静止画像カメラ、動画カメラ、３６０度カメラ、赤外線カメラ（以下３６０度カメラ等という）からの情報により、器具、設備等の物の管理情報を、総合管理するシステムであって、顧客の建物、器具等の物の管理情報Ａと、検査、修理を行う人の管理情報Ｂとを
インターネット回線・インターネットクラウド回線、及び／又はＷＩ−ＦＩ回線、及び／又はブルートゥース回線、赤外線回線を介して、ＰＤＡ、及び／又は各種センサーユニット、及び／又は管理会社の中央コンピュータに連結し、中央コンピュータには、これらの全ての情報を貯蔵処理するサーバが接続されており、物の管理情報Ａと、人の管理情報Ｂとの最適マッチング処理を行うよう構成されていることを特徴とする映像信号装置による物の管理システム。
【請求項２】
映像信号記録発信装置である前記３６０度カメラ等は、ヘルメットに取付けたり、又は眼鏡に取付けたり、又は天井に取付けたり、又は無人飛行機であるドローンに取付けたり、又は作業ロボットに取付けることを特徴とする請求項１記載の映像信号装置による物の管理システム。
【請求項３】
前記３６０度カメラ等、又はＧＰＳ、又は屋内ＧＰＳ、又はＩＣタグ、又は２次元バーコード、又は灯具内蔵可視光通信機からの情報が、ＰＤＡ、及び／又は各種センサーユニット、及び／又は中央コンピュータに内蔵されている受信機能により受信され、収集されており、対象物を発見し、監視し、整備したり、運搬することが出来ることを特徴とする請求項１記載、又は請求項２記載の映像信号装置による物の管理システム。
【請求項４】
屋内では、３６０度カメラ等、及び／又は屋内ＧＰＳ信号、又は人感センサ、又は温度センサ、又は加速度センサ、又はマットセンサからの信号を、有線、又は無線、又はＰＬＣ回線により、画面上に、図面、及び／又は位置マーカー、及び／又は位置ラインマーカーや人間を表示し、対象物の位置情報の場所に人間や、ドローンや、作業ロボット等を誘導し、及び／又は前記対象物を発見し、監視し、整備したり、運搬することが出来ることを特徴とする請求項１記載、又は請求項２記載、又は請求項３記載の映像信号装置による物の管理システム。
【発明の詳細な説明】
【技術分野】
【０００１】  本発明は、映像信号記録発信装置である、静止画像カメラ、動画カメラ、３６０度カメラ、赤外線カメラ（以下３６０度カメラ等という）からの情報により、器具、設備等の物の管理情報と、保守管理する人の情報とを、総合管理するシステムに関する。
【背景技術】
【０００２】  従来、器具、設備等の物の管理システムは、器具、設備等の保守管理を行う管理システム等が、供給されてきているが、しかしいずれも以下に、述べるような実際上の欠点を有していた。【０００３】  これら従来のシステムの例としては、［特開２００５−２２８０２５］（以下、「引例」という）が提案されている。【０００４】  しかしこの引例においても、夫々の管理ビル、拠点ビル毎に現場コンピュータ端末機を設置し、ＩＳＤＮ回線を介してオンラインセンターと通信している。そのため、管理ビル毎に、現場コンピュータ端末機の設備と、それを操作できる一定レベルの技術者を配備する必要があり、そのシステムが、多重層に複雑となり、管理データの複雑化と設備コストの増大、人的コストの高い欠点を有していた。
加えて、見積業務、請求業務、支払業務に関しては、すべて別途の書類郵送、ファックス、電話等の従来手段により、相互のやり取りがされるためきわめて非能率的業務となっていた。
又、器具、設備等の物の管理情報Ａでの最適技能者・管理者等の人の管理情報Ｂとのマッチングは、その都度、人為的に人選されるため、その結果に偏りが生じたり、後継者育成プログラムやオンザジョブトレーニングが効果的にでき難くなっていた。そのため物の管理情報Ａと人の管理情報Ｂとの最適マッチング処理を、効率的に行える総合管理システムが強く望まれていた。
又、最近の３６０度カメラ等の先進技術を用いた映像情報を総合管理する管理システムが望まれていた。
【先行技術文献】
【特許文献１】特開２００５−２２８０２５
【発明の概要】
【発明が解決しようとする課題】
【０００５】    本発明は、設備、建物の物の管理情報を従来の複雑な構成を思い切った段階縮小で単純化しそれらに係る設備費の削減、時間の削減と管理コストの削減を図った合理的システムを提供するものである。
又、例えば、電話局舎の器具、設備等の物の管理情報Ａと、技能者・管理者等の人の管理情報Ｂとの最適マッチング処理を、管理会社のコンピュータにより行い、それらに係る設備費の削減、時間の削減と管理コストの削減を図った合理的システムを提供するものである。
従って、器具、設備等の管理を行う技術者、管理者等は、その能力、経験に適合した業務配置を行えると共に、後継者育成プログラムを加味した配置を行うことにより、それらに係る設備費の削減、時間の削減と管理コストの削減、及び人材の育成訓練を図る画期的システムを提供するものである。
又、最近著しく発達してきている映像記録送受信技術により、デジタルカメラ、ビデオカメラ、３６０度カメラ、赤外線カメラ等の先進技術を用いた映像情報により器具、設備等の物の管理情報を総合管理する管理システムを活用した画期的管理システムを提供するものである。
又、各種灯具による可視光通信機能を利用した情報を活用した管理システムも望まれていた。
【課題を解決するための手段】
【０００６】  映像信号記録発信装置である静止画像カメラ、動画カメラ、３６０度カメラ、赤外線カメラ（以下３６０度カメラ等という）からの情報により、器具、設備等の物の管理情報を、総合管理するシステムであって、顧客の建物、器具等の物の管理情報Ａと、検査、修理を行う人の管理情報Ｂとを
インターネット回線・インターネットクラウド回線、及び／又はＷＩ−ＦＩ回線、及び／又はブルートゥース回線、赤外線回線を介して、ＰＤＡ、及び／又は各種センサーユニット、及び／又は管理会社の中央コンピュータに連結し、中央コンピュータには、これらの全ての情報を貯蔵処理するサーバが接続されており、物の管理情報Ａと、人の管理情報Ｂとの最適マッチング処理を行うよう構成されていることを特徴とする映像信号装置による物の管理システムを提供する。【０００７】  映像信号記録発信装置である前記３６０度カメラ等は、ヘルメットに取付けたり、又は眼鏡に取付けたり、又は天井に取付けたり、又は無人飛行機であるドローンに取付けたり、又は作業ロボットに取付けることを特徴とする請求項１記載の映像信号装置による物の管理システムを提供する。【０００８】  前記３６０度カメラ等、又はＧＰＳ、又は屋内ＧＰＳ、又はＩＣタグ、又は２次元バーコード、又は灯具内蔵可視光通信機からの情報が、ＰＤＡ、及び／又は各種センサーユニット、及び／又は中央コンピュータに内蔵されている受信機能により受信され、収集されており、対象物を発見し、監視し、整備したり、運搬することが出来ることを特徴とする請求項１記載、又は請求項２記載の映像信号装置による物の管理システムを提供する。【０００９】  屋内では、３６０度カメラ等、及び／又は屋内ＧＰＳ信号、又は人感センサ、又は温度センサ、又は加速度センサ、又はマットセンサからの信号を、有線、又は無線、又はＰＬＣ回線により、画面上に、図面、及び／又は位置マーカー、及び／又は位置ラインマーカーや人間を表示し、対象物の位置情報の場所に人間や、ドローンや、作業ロボット等を誘導し、及び／又は前記対象物を発見し、監視し、整備したり、運搬することが出来ることを特徴とする請求項１記載、又は請求項２記載、又は請求項３記載の映像信号装置による物の管理システムを提供する。
【発明の効果】
【００１０】  本発明の総合管理システムは、次の多くの効果を有するものである。
１．  ３６０度カメラ等２１の映像信号記録発信装置２０よりの情報が、物の管理            情報ＡであるＩＣタグ信号、二次元バーコード信号、可視光通信信号、屋外            ・屋内ＧＰＳ信号、ＷＩ‐ＦＩ信号、ブルートゥース信号等が発信され、そ            れをＰＤＡ３により受信することにより、管理対象の情報を、現場にて、書            換送信できるため、電話局舎等の管理ビル毎のコンピュータ端末を必要とし            ない。
２．  受信は、ＰＤＡ３のほか、ウェアラブルセンサ−ユニットである腕時計型セ            ンサ−ユニット、又は首に掛けるペンダント型センサ−ユニット、又は眼鏡            型センサーユニット等が、近づくとその信号を感知することが出来る。
３．  従来のように、コンピュータを操作できるレベルの技術者を管理ビル毎に配            置しなくて良い。
作業者は、ＰＤＡ３を操作するだけでよく、携帯電話や、電卓を操作できる            程度のコンピュータの操作に詳しくない一般レベルの作業者で良い。
すなわち、各メニューのボタンを押すだけで、器具、設備カルテや、見積書            、請求書が表示でき、それを電卓式に書き換えるだけで、送信すれば可能で            ある。このことは、人件費の高くない一般者を採用でき、しかも管理ビルに            拘束されず、いずれの場所にも移動でき、管理対象物の情報を送信できるた            め、人員の削減も図られ、大幅な人件費の削減が図れる。
４．  管理ビルすべてを巡回管理とすることができる。
５．  中央コンピュータへの送信は、インターネットを通じてでも良いし、またＰ            ＤＡ３の可搬式のハードディスク、又は接続ケーブルを、中央コンピュータ            まで、持参して来ればよいので、どんな一般レベルの作業者でもデータの搬            送が可能である。
６．  前記ＩＣタグ情報を、データベース機能に、カルテ化し記録するため、一元            管理ができる。
７．  物の管理情報Ａでの管理会社の指令を、顧客会社（電話会社等）と、作業委            託会社とに、連結することにより、作業指示情報、見積請求情報の確認、書            換、決済等の業務を、直接中央コンピュータの送受信を通じて、すべてペー            パーレスで行える。
８．  標準作業単価、部品単価を、顧客会社（電話会社等）毎に事前決定できるの            で、管理会社、顧客会社、作業委託会社ともに、見積・請求作業が単純化さ            れ、経費の節減となる。
９．  支払段階をコンピュータによる請求書発送により、口座引落、クレジット決            済により、単純化できる。
１０．支払段階に預託金口座による自動引落を連結すれば、きわめて単純化、省力            化できる。
１１．各ＰＤＡ３より、管理会社と、顧客会社と、作業委託会社とに、連結するこ            とにより、ＰＤＡ３を起点として、作業指示情報、見積請求情報の確認、書            換、決済等の業務を、行うことができる。
１２．ＰＤＡ３での受信機能を活用するメリットとして、図面を持参する必要がな            くなり、セキュリティの向上が図れ、又、屋内で的確に、目的場所に到達で            きるため、時間短縮となり、又遠隔地での指示者は、数現場を掛け持ちする            ことが出来る。
１３．中央コンピュータの最適マッチング処理プログラムにより技術者の作業部署            の選定、及び／又はオンザジョブトレーニングによる教育実習、又は作業担            当者としての業務遂行等の最適組合せを極めて短時間で、的確に行うことが            できる。
１４．又、本発明における人の管理情報Ｂの対象者は、育成プログラムを受けなが            ら現場作業が可能となるため、従来のように、専門的経験を積んだ技術者だ            けが、現場作業を担当できるのと異なり、ほとんど未経験者を教育して、力            量のある現場技術者へと育て上げる社会教育上の効果のあるシステムである            。
【図面の簡単な説明】
【００１１】
【図１】本発明による総合管理システムの全体構成の一例である。
【図２】本発明による総合管理システムの全体機器構成の一例である。
【図３】３６０度カメラのヘルメットへの応用例を示す概略斜視図である。
【図４】３６０度カメラの眼鏡への応用例を示す概略斜視図である。
【図５】３６０度カメラの無人飛行機への応用例を示す概略斜視図である。
【図６】３６０度カメラの作業ロボットへの応用例を示す概略斜視図である。
【図７】３６０度カメラの災害用等作業ロボットへの応用例を示す概略斜視図である。
【図８】３６０度カメラ等の発信機とＰＤＡ、センサーユニット等の受信機を示す概略斜視図である。
【図９】物の情報管理Ａの処理手順を示すブロック図である。
【図１０】管理対象の画面Ｓ１と、工事内容メニュー画面Ｓ２の一例である。
【図１１】器具、設備カルテ画面Ｓ３の一例である。
【図１２】選択メニュー画面Ｓ４の一例である。
【図１３】見積書画面Ｓ５の一例である。
【図１４】請求書画面Ｓ６の一例である。
【図１５】支払段階の手順を示すブロック図である。
【図１６】請求書画面Ｓ７の一例である。
【図１７】支払段階の手順を示すブロック図である。
【図１８】請求書画面Ｓ８の一例である。
【図１９】作業・部品単価表画面Ｓ９の一例である。
【図２０】図面・位置マーカーの情報画面Ｓ１０の一例である。
【図２１】図面・位置マーカーの情報画面と、カメラによる映像を重ねた一例である。
【図２２】キャリアシートＢ１の一例である。
【図２３】担当者マッチング検索画面の一例である。
【図２４】不動産希望情報Ｃ１の一例である。
【図２５】不動産情報Ｃ２の一例である。
【発明を実施するための形態】
【００１２】  本発明は、前述した如く、最近著しく発達してきている映像信号記録送信技術により、デジタルカメラ、ビデオカメラ、３６０度カメラ、赤外線カメラ等の先進技術を用いた映像情報により器具、設備等の物の管理情報を総合管理する管理システムを提供する。
【００１３】  又、各種灯具による可視光通信機能を利用した情報を活用した管理システムも望まれていた。
【００１４】  最近特に発達してきた映像記録発受信技術を利用した設備、器具の物の管理情報、例えば、電話局舎等の器具、設備等の物の管理情報と、技能者・管理者等の人の管理情報との最適マッチング処理を、管理会社とのインターネット回線・インターネットクラウド回線を介して行うことにより、大幅な段階縮小で単純化し、最小のシステム構成で、最適選択を行うことより、設備費と物・人の管理コスト、処理時間を大幅に削減できることに気づいた画期的な総合管理システムを提供するものである。
【００１５】  なお、本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。以下図面に基づいて詳細を説明する。
【実施例１】
【００１６】  以下、本発明の実施例について、図面を参照しながら説明する。
この実施例は、図１に示すように、例えば顧客の建物、器具等の物の管理情報Ａと、検査、修理を行う人の管理情報Ｂとをインターネット回線・インターネットクラウド回線４を介して、管理会社の中央コンピュータ５に連結し、中央コンピュータ５には、これらの全ての情報を貯蔵処理するサーバ６が接続されており、物の管理情報Ａと、人の管理情報Ｂとの最適マッチング処理を行うよう構成されている。【００１７】  又、連携・他社情報Ｄも、インターネット回線・インターネットクラウド回線４を介して、管理会社の中央コンピュータ５に連結され、前記最適マッチング処理に、結合されている。【００１８】  又、図１、図２に示すように、３６０度カメラ等２１の映像信号記録発信装置２０よりの情報が、ＰＤＡ３、及び／又は各種センサーユニット、及び／又は管理会社の中央コンピュータ５に連結され、中央コンピュータ５に内蔵されている映像解析機能により、受信され、サーバー６に記録保管される。
また、ここでいうＰＤＡ３とは、ＰＤＡ（Ｐｅｒｓｏｎａｌ  Ｄｉｇｉｔａｌ  Ａｓｓｉｓｔａｎｔｓ）のことで、掌で、持てるくらいの大きさの携帯式情報端末をいう。
ＰＤＡ３は、パソコン、スマートフォン、携帯電話、タブレット、Ｉ‐ＰＡＤ（登録商標）等である（以下ＰＤＡ３という）。
ＰＤＡ３は、ＩＣチップに対しては、電波その他の媒体を通じて送受信が可能であり、またインターネットの端末機としての機能を有するものを言う。容量には制限はなく、可搬式であれば良い。
又、ＧＰＳからの位置情報も同様に、ＰＤＡ３、及び／又は各種センサーユニット、及び／又は管理会社の中央コンピュータ５に連結され、ＰＤＡ３、及び／又は各種センサーユニット、及び／又は管理会社中央コンピュータ５に内蔵されている受信機能により、収集されている。【００１９】  又、同様に、図８の灯具１３よりの可視光通信機能による情報も受信されている。
［可視光通信］とは、人の目に見える可視光線帯域の電磁波を用いた無線通信の一種である。将来的に、全ての照明が、高速変調可能なＣＣＦＬ灯具、又はＬＥＤ灯具や有機ＥＬ、又は無機ＥＬに置き換わることで「照明が通信インフラになる」、という社会応用面からの点で注目され実用化がなされている。（このように照明を使う可視光通信は、特に照明光通信とも呼ばれる）
可視光通信機能付き灯具１３は、通常天井や、壁に取付けられ部屋ごとに設けられるので、３６０度の監視が可能となる。【００２０】  可視光通信機能付冷陰極管灯具、又は、別途に設けられた可視光通信機能付監視センサ灯具、及びその他の灯具には、夫々にＩＤ番号が設定されており、可視光通信機能等により、受信装置であるＰＤＡ３、又はウェアラブルセンサ−ユニットである首に掛けるペンダント型センサ−ユニット１４、又は腕時計型センサ−ユニット１５、又は眼鏡型センサーユニット１６、パソコン・タブレット１７等が、近づくと発信装置の信号を感知する。【００２１】  図３に示すのは、映像信号記録発信装置２０である３６０度カメラ等２１を、ヘルメットに取付けた応用例である。
図４に示すのは、映像信号記録発信装置２０である３６０度カメラ等２１を、眼鏡に取付けた応用例である。
図５は、無人飛行機であるドローン２５に取付けた例であり、屋外や、広い室内で対象物の映像を撮影し、ＰＤＡ３、及び／又は各種センサーユニット、及び／又は中央コンピュータ５に、表示することが出来る。
図６は、最近発達してきた、作業ロボット２６で、例えば、２本のアームを利用し、倉庫内の対象物を荷台２６ａに取り、配送部門に移送することが出来る。走行は、図７に例示する無限軌道を使っても良い。
図７は、災害救助や、人の入れない放射能汚染設備等の内部に入り、監視し、整備、回収作業や、人の救助に、役立てる作業ロボット２７として用いることが出来る。また作業ロボット２６、２７等は、撮影の高さや角度を変更することが可能であり、又照度計機能を持たせ、照度コントロールをすることも可能である。
又、図８に示す如く、３６０度カメラの外、映像信号記録発信装置として、人工衛星ＳからのＧＰＳ信号、対象物の２次元バーコードＱ、ＩＣタグ、可視光通信機能付き灯具１３である冷陰極管（ＣＣＦＬ）１３より可視光通信信号を発信し、その情報を受信装置として、ペンダント型センサーユニット１４、又は腕時計型センサーユニット１５、又は眼鏡型センサーユニット１６、又はＰＤＡ３、及び／又はノートパソコン・タブレット１７、及び／又はコンピュータ５に内蔵した受信機能により、入手することもできる。
又、眼鏡型センサーユニット１６は、受信した信号を、表示装置を介して、眼鏡の内面に映し出し、行動しながら受信データを確認することも可能である。【００２２】  屋内では、３６０度カメラ等、及び／又は屋内ＧＰＳ信号、又は人感センサ、又は温度センサ、又は加速度センサ、マットセンサからの信号を、有線、又は無線又はＰＬＣ回線により、画面上に、図面、及び／又は位置マーカー、及び／又は位置ラインマーカーや人間を表示し、対象物の位置情報の場所に人間や、ドローンや、作業ロボット等を誘導し、及び／又は前記対象物を発見し、監視し、整備したり、運搬することが出来ることを特徴とする管理システムを提供する。【００２３】ここでいうＰＬＣ回線とは、ＰＬＣ（プログラマブル・ロジック・コントローラ）回路（以下ＰＬＣ回路という）。
ＰＬＣ回路と、マイクロコンピュータ（ＣＰＵ：中央演算処理装置）とメモリ（記憶素子）を内蔵したＦＡ用の制御装置である。
装置や操作盤に設置したさまざまな入力機器（センサやスイッチなど）からの入力信号を入力回路で取り込み、あらかじめプログラムされた条件で出力回路をＯＮ／ＯＦＦすることでさまざまな出力機器（電磁弁やモータ、表示灯など）を自由に制御できる。
ＰＬＣ回路は、マイクロコンピュータ（ＣＰＵ：中央演算処理装置）とメモリ（記憶素子）を内蔵したＦＡ用の制御装置であって装置や操作盤に設置したさまざまな入力機器（センサやスイッチなど）からの入力信号を入力回路で取り込み、あらかじめプログラムされた条件で出力回路をＯＮ／ＯＦＦすることでさまざまな出力機器（電磁弁やモータ、表示灯など）を自由に制御できる。
屋内では、図２０で示す図面、及び／又は位置マーカー２８や、位置ラインマーカー２９により、対象物の場所に人間や、ドローンや、作業ロボット等が、誘導され、前記対象物を発見し、監視し、整備したり、運搬することが出来る画期的な応用が可能となる。【００２４】  又、図２０で指定した場所をクリックすると、その場所での３６０度カメラ等の映像を表示することが出来る。
図２１は、コンピュータ、ＰＤＡ等の画面１０を示す例で、図２０での図面、及び／又は位置マーカー２８や、位置ラインマーカー２９の画像と、３６０度カメラ等２１の撮影画像を重ねて表示し、対象物の位置と映像によりＩＣタグ又は、２次元バーコード、または灯具等の可視光通信機能、又は室内ＧＰＳ信号、又は人工衛星からのＧＰＳ信号を、読み取りができ、そのデータを、確認、書き換えすることが出来る。【００２５】  物の管理情報Ａは図１０に示す如く、例えば電話局舎の器具、設備等に関する工事種別情報Ａ１と、施工種別情報Ａ２とに対して、個別の情報がある。
工事種別情報Ａ１は、新設工事、改造工事、保守・点検、清掃、移転工事等の工事種別を選択するように構成されている。
又、施工種別情報Ａ２は、設置工事、電気工事、照明工事、空調工事、電話工事、コピー機等のＯＡ機器設置工事、コンピュータ・ＬＡＮ工事、什器設置工事等の工事より構成され、単独又は複数の工事が選択される。
人の管理情報Ｂは、図１に示す如く、ＩＤコード、パスワード等による個人情報管理システムを備え、技能者、管理者等の例えば、レベルアップを図る能力育成学校等で、教育を履修した記録の資格情報Ｂ２と、工事経験履歴Ｂ３と、職務遂行能力Ｂ４と、性格・気質等のデータＢ５とを記載、変更しキャリアシートＢ１として、人ＩＣタグ、及び／又は中央コンピュータに記録される。
それらの個人のキャリアシートＢ１内に記載された情報に基づき最適実務派遣や、育成プログラムの最適マッチング処理が行われる。以上が全体構成である。
次に、物の管理情報Ａの詳細について述べる。
図１、図２に示す如く、電話局舎等の器具、設備の管理対象物１ａ、１ｂ、１ｃ、・・・・・に対し、その近傍、または外面、または内部に、夫々に対応したＩＣタグ２ａ、２ｂ、２ｃ、・・・・・を設置する。又、２次元バーコードＱは、管理対象物に設置されている。【００２６】  ここでいうＩＣタグは、ＲＦＩＤ（Ｒａｄｉｏ  ｆｒｅｑｕｅｎｃｙ  Ｉｄｅｎｔｉｆｉｃａｔｉｏｎ）とも呼ばれるＩＣチップを搭載した数センチ大のもので、例えば読取機である携帯端末（ＰＤＡ３）からの電波を、搭載したアンテナを通じてＩＣタグ内の情報を読み、書換できるものをいう。それらは接触式、又は、０〜３メートルの非接触式でも情報の発受信ができるものである。【００２７】  図２に示す如く、技能者・管理者等は、それらのＩＣタグ２ａ、２ｂ、２ｃ、・・・・・に対し、手元のＰＤＡ３を、例えば、接触させるか、もしくは０〜１０メートルの近傍から遠隔操作により、例えば管理対象物１ａのＩＣタグ２ａに向けて、電源をＯＮすると、図８の管理対象画面Ｓ１内のＩＣタグ２ａのＩＤ番号等を読取り、「ＯＫ」ボタンをクリックすると、インターネット回線・インターネットクラウド回線を介して、中央コンピュータ５にアクセスすることができる。【００２８】  次に、携帯端末であるＰＤＡ３で指定した、たとえば管理対象物１ａのＩＣタグ２ａ内のＩＣタグ情報は、ＰＤＡ３より、インターネット回線・インターネットクラウド回線４を介し、中央コンピュータ５内の画面に表示され、その情報は、データベースサーバ６に連結され、又、管理対象物１ａの情報を、インターネット回線・インターネットクラウド回線４を介し、ＰＤＡ３の画面１０中に表示することができる。
又、管理対象物には、夫々、二次元バーコードＱが、設置されており、ＰＤＡ３の画像によりその対象物の情報が読み取り機能により、読み取られるように構成されている。
又、ＰＤＡ３での受信機能は、ＷＩ−ＦＩ機能、又はブルートゥース機能、又はジャイロセンサー、又は屋内ＧＰＳ機能等を介してもよい。
このように、ＰＤＡ３での受信機能を活用するメリットとして、図面を持参する必要がなくなり、セキュリティの向上が図れ、又、屋内で的確に、目的場所に到達できるため、時間短縮となり、又遠隔地での指示者は、数現場を掛け持ちすることが出来る。もちろんＰＤＡ３所持者のみデータを確認し、その後インターネット回線・インターネットクラウド回線４に配信してもよい。【００２９】  また、中央コンピュータ５は、インターネット回線・インターネットクラウド回線４を介し中央コンピュータ５と、顧客会社コンピュータ８ａ、８ｂ、８ｃ、・・・・・と、作業委託会社コンピュータ９ａ、９ｂ、９ｃ、・・・・・に連結されている。【００３０】  今、これらを保守・点検作業を例として、図９に示す手順に沿って詳細に説明する。
図９の中で、人間により操作される動作は、実線枠で示し、コンピュータより、自動操作される動作は、破線枠で示している。
保守・点検作業での一連の手順は、点検段階と、受注段階と、作業段階と、支払段階とに大別される。【００３１】  点検段階では、管理対象物１ａを例にすると、その近傍に設置されたＩＣタグ２ａは、電波等により読取機であるＰＤＡ３により送受信でき、管理対象物１ａ、の点検、補修に向かった技能者・管理者等が、ＰＤＡ等３をＩＣタグ２ａに対し、例えば、接触させるか、もしくは０〜３メートルの近傍から遠隔操作により、管理対象物１ａのＩＣタグ２ａに向けて、電源をＯＮすると、図１０の管理対象画面Ｓ１内のＩＣタグ２ａのＩＤ番号等を読取り、「ＯＫ」ボタンをクリックすると、インターネット回線・インターネットクラウド回線４を介して中央コンピュータ５にアクセスすることができる。【００３２】  更に中央コンピュータ５内のデータベースサーバ６にアクセスされ、該当するＩＤ番号の管理対象物１ａの各種データをＰＤＡ等３上の画面１０に表示することができる。
ＰＤＡ３、コンピュータ等の画面１０上で、図１０の管理対象画面Ｓ１内の情報を確認し、中央コンピュータ５のデータベースサーバ６にあるデータを呼出し、例えば、管理対象物１ａの工事内容メニューＳ２を表示する。
図１２の工事内容メニューの画面Ｓ２には、前記の工事種別情報Ａ１は、新設工事、改造工事、保守・点検、清掃、移設工事等の工事種別を選択するように構成されている。【００３３】  又、施工種別情報Ａ２は、設置工事、電気工事、照明工事、空調工事、電話工事、コピー機等のＯＡ機器設置工事、コンピュータ・ＬＡＮ工事、什器設置工事、セキュリティ工事等より選択される。
例えば、管理対象物１ａの工事種別情報Ａ１の「保守・点検工事」のボタンにカーソルを近づけると、そのボタンの色が変わる。次に、施工種別情報Ａ２のボタンにカーソルを近づける、そのボタンの色が変わり、例えば、「設置工事」のボタンをクリックし、「ＯＫ」ボタンを押すと、例えば、図１１の器具、設備カルテの画面Ｓ３が呼出される。
これは、例として移動点検台車を示したもので、画面Ｓ３内の機器の使用状況、部品交換の要否、保守予定日等、データの書換を行う。【００３４】  図１２の選択メニューの画面Ｓ４は、それらのいずれかのボタン上にカーソルを乗せると、例えば色が変わったりして、選択することができる。
例として、「器具・設備カルテ」ボタンを選択し「開く」をクリックすると、図１１の器具、設備カルテの画面Ｓ３が呼出される。
また、「見積書・請求書」ボタンを押すと、後述する図１３、図１４、図１６、図１８の画面を呼出すことができる。【００３５】  また、「工事・部品単価表」ボタンを押すと、図１９の画面を呼出すことができ、それを使って保守点検者は、現場にて容易に、見積書、請求書等を作成することができる。
また「図面・位置マーカーのボタン」を選択すると、図２０に示すような管理対象物１ａの天井伏せ図面と、位置マーカーＳ１０等を表示することができる。【００３６】  次に、技能者・管理者等が、ＰＤＡ３より書換えた器具、設備カルテＳ３を「点検結果表」として、決済欄に、「上記の内容で了承」、または「修正して了承」の欄をクリック記載し、「ＯＫ」ボタンをクリックすると、その内容がインターネット回線・インターネットクラウド回線４により中央コンピュータ５に発信される。
この場合に、インターネットを用いず、携帯式ハードディスク１１や接続コード１２等のいずれかの接続方法を用いることもできる。
そして情報は、自動的にデータベースサーバ６に蓄積される。それと同時に、同一のデータが、中央コンピュータ５、および作業委託会社コンピュータ９ａに自動的に発信される。
また、図１２の「見積書・請求書」のボタンを選択し、図１３に示す「見積書」の画面Ｓ５等を発信する。以上が、点検段階である。【００３７】  次の受注段階では、それを受取った管理会社の中央コンピュータ５は、顧客会社コンピュータ８ａに発信し、例えば、図１１の器具、設備カルテの画面Ｓ３内の機器の点検結果、保守予定日時等のデータを「点検結果表」として、および図１２の「見積書・請求書」のボタンを選択し、図１３に示す見積書の画面Ｓ５を呼出し、同様に決済欄に「上記内容で了承」、または「修正して了承」の欄をクリック記載し、「送信」ボタンをクリックして発信する。【００３８】  それを受けた顧客会社（電話会社等）は、図１１の画面Ｓ３の「点検結果表」、および図１３に示す見積書の画面Ｓ５等を確認し、同様に、数個のクリックにより了承、または修正し、顧客会社コンピュータ８ａより管理会社の中央コンピュータ５に返信する。【００３９】  その返信を受取った管理会社は、中央コンピュータ５より、作業委託会社コンピュータ９ａに発信し、例えば、図１１の器具、設備カルテの画面Ｓ３の機器の点検結果、保守予定日時等の内容を「作業指示書」とし、および図１２の「見積書・請求書」のボタンを選択し、内容を確認、修正し、および図１３に示す見積書の画面Ｓ５等を「指値見積書」として確認、または数個のクリックにより、修正し発信する。【００４０】  それを受取った作業委託会社は、図１１の機器の点検結果、保守予定日時等の画面Ｓ３を「作業受託書」とし、および「見積書」の画面Ｓ５等を「受託見積書」として確認または、数個のクリックにより修正し作業委託会社コンピュータ９ａより発信する。
以上が受注段階である。【００４１】  次の作業段階は、作業委託会社は、保守点検者に、ＰＤＡ３を持たせ現場に派遣し、保守点検者は、保守作業を実行する。
保守点検者は、ＰＤＡ３により、図１１の画面Ｓ３内の機器の保守点検結果、保守実施日時等のデータを「保守作業完了届」とし、および図１４に示す請求書の画面Ｓ６を「請求書」として確認、または数個のクリックにより修正し、中央コンピュータ５および作業委託会社コンピュータ９ａに発信する。以上が作業段階である。【００４２】  そして、次は、支払い段階となる。
前記「保守作業完了届」と「請求書」を受止めた管理会社は、中央コンピュータ５より、顧客会社コンピュータ８ａに発信し、例えば、図１１の画面Ｓ３内のデータを「保守作業完了届」とし、および図１４に示す画面Ｓ６を「請求書」とし、合わせて「納品書」（図示せず）を発信する。【００４３】  それを受けた顧客会社は、内容を確認し、了解であれば、管理会社に確認結果を送信し、納金する。
更にそれを受けた管理会社は、内容を確認し、作業委託会社に支払う。
以上により、一連の点検保守作業が完了するのである。【００４４】  本発明の特徴は前述のごとく、これらの決済事項が、数クリックで、完結するという名づけて「数クリック決済」を採用し、きわめて能率的な段階縮小を図っているところにある。
すなわち、従来は、業務の種々の段階において、決済が必要な項目は、すべて、郵便、ファックス、電話等の従来の手段により実施されていたため、そのやり取りに、多くの時間と人の介在を必要としていた。特に、日本独特の押印書類による決済は、これらの段階を非能率とする原因の一つとなっていた。【００４５】  これらを電子的に決済することにより、保守点検作業内容に関する決済事項と、見積請求事項に関する決済事項が、管理会社と、顧客会社と、作業委託会社との間の極めて煩雑な決済処理が大幅に簡略化され、業務効率向上と人件費削減を図ることができる。
【実施例２】
【００４６】  次に支払システムを加味したコンピュータシステムの実施例を示す。
前述の支払段階において、管理会社は、請求会社として、中央コンピュータ５より、顧客会社コンピュータ８ａに発信し、例えば、図１１の画面Ｓ３内の機器の保守点検結果、保守予定日時等のデータを「保守作業完了届」とし、および図１６に示す「請求書」の画面Ｓ７、合わせて納品書（図示せず）を発信する。【００４７】  画面Ｓ７には、請求金額と、支払方法として例えばクレジットカードを選択する場合は、顧客会社のクレジットカード番号の記載欄を設けてある。
また、口座振込とする場合は、請求会社である管理会社の銀行、または郵便局の振込口座が示されている。インターネットバンキングの選択も可能である。【００４８】  それを受けた支払会社である顧客会社は、顧客会社コンピュータ８ａより画面Ｓ３内のデータを「保守作業完了届」とし、および図１６に示す「請求書」の画面Ｓ７にクレジットカード番号を記入して請求を受けるか、または管理会社の銀行、郵便局の振込口座に、インターネット送金して請求額を振込むか、銀行または郵便局の窓口で振込むかを決定し、数クリックで管理会社に返信する。【００４９】  管理会社は、入金を確認し、領収済みの報告を顧客会社コンピュータ８ａにインターネットを介して返信する。
また管理会社は支払会社として、前記と同様の手段により、請求会社である作業委託会社に返信し、送金することができる。
以上により、一連の点検保守作業が完結するのである。
【実施例３】
【００５０】  本システムは、更に望ましい方法で、支払段階での自動化、段階縮小を進めた方法を示す。
管理会社と、顧客会社（電話会社等）は、通常、年間保守点検契約を結んでいる。
したがって、特定された顧客会社（電話会社等）に対して、その年度内に実施する保守点検作業を、ある程度の範囲で予見することができる。その予見に基づき、その顧客会社（電話会社等）の例えば、３ケ月分の予想保守金額を、預託することができる。【００５１】  顧客会社（電話会社等）は、支払会社として、請求会社である管理会社との間で、ある特定した銀行口座を設け、その口座内に預託金を入金しておくことができる。
そうすると、「保守作業完了届」の画面Ｓ３等で、作業結果の内容を確認し、図１８の「請求書」の画面Ｓ８に記載されているデータの決済欄を記入し送信すれば、前記請求書に記載された金額を、自動引落により管理会社の銀行口座に、連結される。
この時に、預託金に残金がある場合は、納金となる。
そして自動的に中央コンピュータ５からデータベース６に結果を転送し、完了となる。【００５２】  もし、預託金の残高が不足した場合は、預託金の追加請求を中央コンピュータ５より自動的に発信し、顧客会社コンピュータ８ａに送信される。
顧客会社から、預託金の追加納金があり、残高ありとなると、同様の流れとなるのである。
次に支払会社である管理会社は、前記と同様の手段により、請求会社である作業委託会社に送金することができる。
以上により、一連の点検保守作業が完結する。
【実施例４】
【００５３】  次に、人の管理情報Ｂの詳細を述べると、図２２に示すように、キャリアシートＢ１内に、各人の取得した資格と、技能士養成学校等における学習段階情報と、選択講座情報の「資格情報」Ｂ２と、「工事経験履歴」Ｂ３等に加え、人的特性情報である「職務遂行能力」Ｂ４と、「性格・気質」等のデータＢ５等が、記録されている。【００５４】  学習段階情報は、希望講座の受講情報により、講座修了、オンザジョブトレーニング実習、実務派遣等の段階が記入される。
選択講座情報は、技能士養成学校等における講座として、例えば、建築施工技術者、設備施工技術者、クレーン等の免許取得講座、足場組立、鉄骨組立等の技能講習資格取得、アーク溶接、高所作業車等の特別教育資格取得に加え、更に現場作業上、必要な一級又は二級技能士講座等の各種講座が設けられている。例えば、配管工、ガラス施工、塗装、木工、内装仕上げ施工、建具施工、電気工事技術者等の現場技能講座であり、これらは、実務におけるオンザジョブトレーニング実習と組合せて行われる。
更に、ビル管理者、不動産営業マン等の宅地建物取引主任者の資格取得等の、多種の必要とされる講座を選択し、受講できるようになっている。
それらの資格情報Ｂ２は、個人キャリアシートＢ１内に記載され、最適実務派遣や、育成プログラムに反映される。【００５５】  人の管理情報Ｂは、ＩＤコード、パスワード等による個人情報管理システムを備え、技能者、管理者等のそのレベルアップを図る能力育成学校等で、教育を履修した記録の「資格情報」Ｂ２と、「工事経験履歴」Ｂ３と、「職務遂行能力」Ｂ４と、「性格・気質」等のデータＢ５を記載、変更し、キャリアシートとして、人ＩＣタグ、及び／又は中央コンピュータに記録される。【００５６】  又、図２２に示すように、キャリアシートＢ１の下段には、一実施例として、「該当現場検索」の画面Ｓ１１があり、キャリアシートＢ１の各人の情報に適合する物の管理情報Ａの情報が、「該当現場検索」のボタンをクリックすることにより、この画面に表示され、管理対象物の「派遣現場名」とその「現場ＩＣコード」、「業務内容」とその「業務内容コード」、担当する「職責」とその「職責コード」等の該当現場情報が、中央コンピュータの最適マッチング処理プログラムにより検索され、作業部署の選定、及び／又はオンザジョブトレーニングによる教育実習、又は作業担当者としての業務遂行等の最適組合せを短時間に、行うことができる。又、「次候補を検索」で、希望現場が見つかるまで検索することができる。【００５７】  又、図２３に示される担当者マッチング検索画面Ｓ１２により、物の管理情報Ａの情報に加えて、「必要資格」Ｂ２、「工事経験履歴」Ｂ３、「職務遂行能力」Ｂ４、「性格・気質」Ｂ５等の必要特性を記載し、「上記内容で検索」、又は「次候補を検索」にチェックを入れ、「マッチング検索」ボタンをクリックすることにより、適合する図２２のキャリアシートＢ１の画面が呼び出され、「担当者」が極めて短時間で、検索できるよう構成されている。【００５８】  これらの最適マッチングプログラムは、キャリアシートＢ１の「資格情報」Ｂ２と、「工事経験履歴」Ｂ３と、「職務遂行能力」Ｂ４と、「性格・気質」データＢ５の各情報に対し、物の管理情報Ａにおける「必要適性情報」とに対しマッチング優先度をつけて検索プログラムにより自動選出するのである。
その優先度は、例えば、（１）「資格情報」Ｂ２、（２）「工事経験履歴」Ｂ３、（３）「職務遂行能力」Ｂ４、（４）「性格・気質」データ」Ｂ５の優先順位にて、「必要適性情報」との適合を検索し、全ての条件を満たす順に表示される。又、この優先順位は、変更しても良い。【００５９】  又、本発明における人の管理情報Ｂの対象者は、育成プログラムを受けながら現場作業が可能となるため、従来のように、専門的経験を積んだ技術者だけが、現場作業を担当できるのと異なり、ほとんど未経験者を教育して、力量のある現場技術者へと育て上げる社会教育上の効果のあるシステムである。
【実施例５】
【００６０】    次に、器具、設備等の物の管理情報Ａと、技能者・管理者等の人の管理情報Ｂとの総合管理システムの詳細を説明すると、
図１に示す如く、管理会社には、物の管理情報Ａと、人の管理情報Ｂの２つの管理情報を制御する中央コンピュータ５と、情報を貯蔵するデータベースサーバ６が設けられ、
器具、設備等の物の管理情報Ａは、例えば図１０の新設工事、改造工事、保守・点検、清掃、移設工事等の工事種別情報Ａ１と、設置工事、電気工事、照明工事、空調工事、電話工事、コピー機等のＯＡ機器設置工事、コンピュータ・ＬＡＮ工事、什器設置工事、セキュリティ工事等の施工種別情報Ａ２とがある。【００６１】  該工事種別情報Ａ１と施工種別情報Ａ２とに関し、図２に示す如く器具の部位、設置機器等の管理対象物の近傍または、外面、または内部に、それぞれの管理対象物に対応したＩＣタグを配置し、前記ＩＣタグに対し、ＰＤＡ３を接触、または非接触により入出力可能に構成し、前記ＰＤＡ３より前記管理対象物の情報を記載または変更し、前記ＰＤＡ３より管理対象物の情報を、インターネット通信網を介して中央コンピュータに送信するか、または携帯式ハードディスク１１、又は接続ケーブル１２等により、中央コンピュータ５に伝達し、前記中央コンピュータ５は、顧客会社コンピュータ８ａ、８ｂ、・・・と、作業委託会社コンピュータ９ａ、９ｂ、・・・とを連結しており、中央コンピュータ５と、顧客会社コンピュータと、作業委託会社コンピュータとは、相互に、器具、設備等の物の管理情報Ａを、インターネット回線・インターネットクラウド回線を通じて送受信することを特徴とする器具、設備等の物の管理システムとなっている。
以上の前記の説明は、ＩＣタグに関し説明したが、その他２次元バーコード、ＧＰＳ情報、カメラによる映像情報、灯具等による可視光通信機能に関しても、同様である。【００６２】  次に、人の管理情報Ｂの詳細を述べると、図２２に示すように、キャリアシートＢ１内に、各人の取得した資格と、技能士養成学校における学習段階情報と、選択講座情報の「資格情報」Ｂ２と、「工事経験履歴」Ｂ３等に加え、人的特性情報である「職務遂行能力」Ｂ４と、「性格・気質」等のデータＢ５等が、記録されている。【００６３】  Ｂ２の「資格情報」には、学習段階情報と選択講座情報等があり、学習段階情報は、希望講座の受講情報により、講座修了、オンザジョブトレーニング実習、実務派遣等の段階が記入される。【００６４】  選択講座情報は、技能士養成学校における講座として、例えば、建築施工管理者、設備施工管理者、クレーン等の免許取得講座、足場組立、鉄骨組立等の技能講習資格取得、アーク溶接、高所作業車等の特別教育資格取得等に加え、更に現場作業上、必要な一級又は二級技能士講座等の各種講座が設けられている。例えば、配管工、ガラス施工、塗装、木工、内装仕上げ施工、建具施工、電気工事技術者等の現場技能講座であり、これらは、実務におけるオンザジョブトレーニング実習と組合せて行われる。【００６５】  又、老人ホーム等の介護施設での介護者等の講座、保育園等の幼児保育の講座も含まれる。
更に、ビル管理者、不動産営業マン等の宅地建物取引主任者の資格取得等の、多種の必要とされる講座を選択し、受講できるようになっている。
それらの資格情報Ｂ２は、図２２の個人キャリアシートＢ１内に記載され、最適実務派遣や、育成プログラムに反映される。【００６６】  又、人の管理情報Ｂは、ＩＤコード、パスワード等による個人情報管理システムを備え、技能者、管理者等のそのレベルアップを図る能力育成学校等で、教育を履修した記録の「資格情報」Ｂ２と、「工事経験履歴」Ｂ３と、「職務遂行能力」Ｂ４と、「性格・気質」等のデータＢ５を記載、変更し、キャリアシートＢ１として、人ＩＣタグ、及び／又は中央コンピュータに記録される。【００６７】  又、前述のように、図２２のキャリアシートＢ１の下段には、一実施例として、「該当現場検索」の画面Ｓ１１があり、中央コンピュータの最適マッチング処理プログラムにより検索され、作業部署の選定、及び／又はオンザジョブトレーニングによる教育実習、又は作業担当者としての業務遂行等の最適組合せを短時間に、行うことができる。
同様に、前述のように図２３に示される担当者マッチング検索画面Ｓ１２により、適合する「担当者」が極めて短時間で、検索できるよう構成されている。
【実施例６】
【００６８】  本実施例は、本システムの応用例として、図２４に示すように、不動産の希望情報Ｃ１を入力し、検索することが出来る。
希望した不動産の情報を、映像信号記録発信装置２０である３６０度カメラ等２１より受信した不動産の部屋の内部の詳細画面を閲覧することにより、その結果、図２５に示すような不動産情報Ｃ２を入手し、申し込みをすることが出来る。
また、前述の一連の機能は、３６０度カメラ等２１の映像、及び／又はＩＣタグ、及び／又は２次元バーコードＱ、及び／又は灯具１３の可視光通信、及び／又はＧＰＳ情報、及び／又はＰＤＡからの映像情報に関しても同様に機能するものである。
［変形実施例］
この発明は次のように変形して実施することを含むものである。
（１）３６０度カメラ等は、単管等を組合せて構成したレール上を走行する車両に、搭        載する形態を含むものである。
（２）ＩＣタグは、アンテナを有しておれば、基板は、合成樹脂、紙、布製、金属製等        の材料でよい、又ＩＣタグのアンテナは、金属片、または金属印刷、合成樹脂等        の導電性のいずれの材質でも良い。
（３）ＰＤＡ３は、ミニコンピュータ形式のものから通常の携帯電話、スマートホーン        、ゲーム機端末等でも良い。
（４）物の管理情報Ａは、図１に示すように、連携・他社情報Ｄを、利用しても良い。
【産業上の利用可能性】
【００６９】  以上説明したように、カメラからの映像情報を活用し、物の管理情報と、人の管理情報に関し、中央コンピュータ内の自動マッチング検索プログラムにより、最適な技能者配置が可能となることより、大幅な段階縮小が図れること、設備構成の単純化による時間短縮と、設備コストと人件費コストを画期的に削減できると共に、技能者の人材育成に寄与する画期的システムである、電話会社の集線局舎の保守管理を始め、その他の日本産業の中核である建設業または、製造業、商業施設、介護施設、不動産業等の活性化に大幅に寄与することができる。
【符号の説明】
【００７０】  １ａ、１ｂ、１ｃ、・・・管理対象物
２ａ、２ｂ、２ｃ、・・・ＩＣタグ
３、３ａ、３ｂ、３ｃ・・ＰＤＡ
４                  インターネット回線・インターネットクラウド回線
５                  中央コンピュータ
６                  データベースサーバ
８ａ、８ｂ、８ｃ、・・・顧客会社コンピュータ
９ａ、９ｂ、９ｃ、・・・作業委託会社コンピュータ
１０                画面
１１                携帯式ハードディスク
１２                接続ケーブル
１３                可視光通信機能付き灯具
１４                ペンダント型センサーユニット
１５                腕時計型センサーユニット
１６                眼鏡型センサーユニット
１７                ノートパソコン・タブレット
２０                映像信号記録発信装置
２１                ３６０度カメラ等
２５                ドローン
２６                作業ロボット
２６ａ              荷台
２７                作業ロボット
２８                位置マーカー
２９                位置ラインマーカー
Ａ１                工事種別情報
Ａ２                施工種別情報
Ｂ１                キャリアシート
Ｂ２                取得資格情報
Ｂ３                工事経験履歴情報
Ｂ４                職務遂行能力情報
Ｂ５                性格・気質情報
Ｄ                  連携・他社情報
Ｓ１                管理対象画面
Ｓ２                工事内容メニュー画面
Ｓ３                器具、設備カルテ画面
Ｓ４                選択メニュー画面
Ｓ５                見積書画面
Ｓ６、Ｓ７、Ｓ８    請求書画面
Ｓ９                工事・部品単価表画面
Ｓ１０              図面情報画面
Ｓ１１              該当現場検索画面
Ｓ１２              担当者マッチング検索画面
Ｑ                  ２次元バーコード
Ｓ                  人工衛星
【図１】
2017076354.tif 000003
【図２】
2017076354.tif 000004
【図３】
2017076354.tif 000005
【図４】
2017076354.tif 000006
【図５】
2017076354.tif 000007
【図６】
2017076354.tif 000008
【図７】
2017076354.tif 000009
【図８】
2017076354.tif 000010
【図９】
2017076354.tif 000011
【図１０】
2017076354.tif 000012
【図１１】
2017076354.tif 000013
【図１２】
2017076354.tif 000014
【図１３】
2017076354.tif 000015
【図１４】
2017076354.tif 000016
【図１５】
2017076354.tif 000017
【図１６】
2017076354.tif 000018
【図１７】
2017076354.tif 000019
【図１８】
2017076354.tif 000020
【図１９】
2017076354.tif 000021
【図２０】
2017076354.tif 000022
【図２１】
2017076354.tif 000023
【図２２】
2017076354.tif 000024
【図２３】
2017076354.tif 000025
【図２４】
2017076354.tif 000026
【図２５】
2017076354.tif 000027